(57)【特許請求の範囲】
【請求項１】
分割された２次側の各高圧コイルの出力側に、直列に高圧整流ダイオードを接続するとともに、最終段ダイオードのカソード側に高圧コンデンサを接続したフライバックトランスにおいて、
前記２次側の高圧出力電線をフライバックトランスの磁心に、偏向ヨーク駆動用水平パルスと逆相のパルスが発生する方向に巻き付け、アノードキャップを介してブラウン管に接続したことを特徴とするフライバックトランス。
【発明の詳細な説明】
【０００１】
【発明の属する技術分野】
本発明は、ブラウン管を用いたディスプレイモニタのフライバックトランス（以下、ＦＢＴと略称する）に係り、さらに詳しくは受像管の表面等から透過される交番電界を低減する技術に関する。
【０００２】
【従来の技術】
図５は、一般的なディスプレイモニタのＦＢＴにおいて、外付高圧コンデンサを用いてブラウン管の表面等から透過される交番電界を低減する回路の一例を示したものである。この従来の方式は、米国特許明細書第５２１８２７０号に記載されている発明を応用している例である。
【０００３】
同図において、１はＦＢＴ、２は内蔵高圧コンデンサ、３（３ａ，３ｂ，３ｃ，３ｄ）は高圧整流ダイオード、４は３次側の逆パルス発生用巻線、５は外付高圧コンデンサ、６（６ａ，６ｂ，６ｃ，６ｄ）は高圧コイル、７は偏向ヨーク、１６は水平出力トランジスタ、１７は１次側低圧コイル、１８は波形比較制御器である。
【０００４】
図６は、現行の交番電界の低減システムの一例を示したものである。同図において、８は内装黒鉛膜、９は偏向ヨークの静電容量、１０は高圧・偏向回路、１１はブラウン管である。このシステムにおいて、内装黒鉛膜８における電荷Ｑ１  は下式で表される。
【０００５】
Ｋ×ＣＤＹ×ＶＤＹ＝Ｑ１        （但し、Ｋ≒０．５）
交番電界をキャンセルするための重畳するコイルのパルスｅＸ  は、重畳される電荷Ｑ２  が内装黒鉛膜８における電荷Ｑ１  に等しくなるように選ぶ。
【０００６】
これは内蔵高圧コンデンサの容量Ｃ１  、ブラウン管容量Ｃ２  、及びパルス波高値ｅＰ  により決定する。内蔵高圧コンデンサの容量Ｃ１  を考慮し、逆パルス発生用コイルの巻数ｅ２  を決め、内装黒鉛膜８に逆パルスｅＸ  を印加重畳することにより、交番電界ＶＤＹ′の振幅は低減される。
【０００７】
図７は、図６の交番電界低減システムの一例を等価的に表した回路を示したものである。同図において、１２はパネル透明導電膜、１３はパネル透明導電膜の表面抵抗、１４はパネル透明導電膜容量である。上記等価回路では、以下の動作に従って交番電界が低減される。
【０００８】
偏向ヨーク７を駆動する水平パルスＶＤＹ（１０００Ｖｐｐ）が、偏向ヨークの静電容量９（６０ｐＦ）を介してブラウン管１１の内装黒鉛膜８にパルス電圧ＶＤＹ′を生じる。パルス電圧ＶＤＹ′は、パネル透明導電膜容量１４とパネル透明導電膜１２の表面抵抗１３により、インピーダンス分割されたＶｐがパネル透明導電膜１２に生じ、交番電界の発生源となっている。
【０００９】
この交番電界を低減する一例として、前述したように、ＦＢＴの３次側の逆パルス発生用巻線で得られた逆パルスＶＦ  ′（−１５０Ｖｐｐ）をＦＢＴの外付けの高圧コンデンサ５（容量：ＣＦ  ＝２００ｐＦ）を介して内装黒鉛膜８に印加することにより、内装黒鉛膜８において、パルス電圧ＶＤＹ′が逆パルスＶＦ  ′にてキャンセルされ、交番電界ＶＤＹ′の振幅が低減される。
【００１０】
この関係を式で表すと、下式となる。
【００１１】
0003609181.tif 000002
【００１２】
【発明が解決しようとする課題】
図８は従来の外付高圧コンデンサの外観図、図９は同、内部回路図である。
【００１３】
これらの図において、１９はアノードキャップ、２０は高圧コネクタ、２１はＧＮＤ端子である。
【００１４】
上記した従来技術では、ＦＢＴの外付高圧コンデンサ５は図８に示すように、高電圧の絶縁を施すため、４０ｍｍ×４０ｍｍ×６５ｍｍ程度の外装ケース及び注型樹脂（エポキシレジン等）が必要となり、高価でかつディスプレイモニタ内での設置場所の制約があり、構造上、取り扱いが難しくなるという問題がある。また、高圧接続が必要となるため、高圧接続部（高圧コネクタ２０）の信頼性確保が難しくなるという問題がある。
【００１５】
本発明は、上記の点に鑑みてなされたものであり、その目的とするところは、外装ケース及び注型樹脂で絶縁された高価な外付高圧コンデンサを用いることなく、安価で高圧絶縁が容易、かつ、取り扱いが容易で交番電界を低減可能なフライバックトランスを提供することにある。
【００１６】
【課題を解決するための手段】
上記目的は、分割された２次側の各高圧コイルの出力側に、直列に高圧整流ダイオードを接続するとともに、最終段ダイオードのカソード側に高圧コンデンサを接続したフライバックトランスにおいて、２次側の高圧出力電線をフライバックトランスの磁心に、偏向ヨーク駆動用水平パルスと逆相のパルスが発生する方向に巻き付け、アノードキャップを介してブラウン管に接続することにより達成される。
【００１７】
【発明の実施の形態】
本発明においては、高圧出力電線を磁心に巻き付けることにより、交番電界と等価的に同一振幅となるフライバックのパルスを高圧出力電線に重畳し、交番電界の振幅を低減している。
【００１８】
以下、本発明の実施の形態を図面に基づいて説明する。図１は、一実施の形態に係るＦＢＴの回路図である。
【００１９】
従来例と同様に、多分割された高圧コイル６ａ〜６ｄの出力側（巻き終わり端）にそれぞれ、高圧整流ダイオード３ａ〜３ｄを接続する他に、高圧出力電線２２を、フライバックトランスの磁心に、偏向ヨーク駆動用水平パルスと逆相のパルスが発生する方向に巻き付けている。即ち、磁心巻き付け逆相パルス発生用コイル６ｅを設けている。
【００２０】
図２は、逆パルス発生コイルの等価回路を示した図である。図１の水平出力トランジスタ１６のコレクタ側に発生するコレクタパルスをＶｃｐとし、１次側巻線１７の巻数をＮ１  、逆パルス発生用磁心巻き付けコイル６ｅの巻き数をｅ２  とすると、磁心巻き付けコイル６ｅの両端のパルス波高値ｅＰ  は下式で表される。
【００２１】
ｅＰ  ＝（−Ｖｃｐ×ｅ２  ）／Ｎ１  
図２において、磁心巻き付けコイル６ｅの両端のパルス波高値ｅＰ  は、内蔵高圧コンデンサ容量Ｃ１  、及びブラウン管容量Ｃ２  により容量分担される。
【００２２】
但し、磁心巻き付けコイル６ｅの両端のパルス波高値ｅＰ  は、コイル６ｅの巻き位置、及び周囲の布線等の電極間容量等により変化する。
【００２３】
図１において、ブラウン管１１（図６参照）は構造上限界の容量があり、内蔵高圧コンデンサ２は、ブラウン管容量を補正するためにＦＢＴ１の内部に設けてある。
【００２４】
この高圧の容量（ブラウン管容量＋内蔵高圧コンデンサ容量）は、高圧の安定化を図るためのもので、この高圧容量が少ないとブラウン管１１の画面上でくねり等の現象を引き起こす原因となるものである。
【００２５】
内蔵高圧コンデンサ２の容量を変えることで、高圧出力電線２２に印加する逆パルスの波高値を調整できる。容量を大きくすると波高値は高くなり、容量を小さくすると波高値は低くなる。
【００２６】
本発明は、逆パルスをブラウン管陽極電極に印加する役割の容量機能と、上記、高圧安定化のためのブラウン管容量機能の両方を兼用できるものである。
【００２７】
図３は、ＦＢＴの外観図である。この図に示すように、磁心２３に高圧出力電線を巻き付けて、磁心巻き付け逆相パルス発生用コイル６ｅを形成している。
【００２８】
図４は他の実施の形態に係るフライバックトランスの外観図である。
【００２９】
この図に示すように、外部磁心巻き付けコイル２４を別コイルとして、ＦＢＴ１に内蔵してＦＢＴ１を構成することも可能である。
【００３０】
【発明の効果】
本発明によれば、交番電界と等価的に同一振幅となるフライバックトランスの高圧出力電線を磁心に巻き付けて発生するパルスを高圧出力電線に重畳することにより、ブラウン管の内装黒鉛膜に誘起している偏向ヨークの水平パルスをキャンセルするようにできるため、外装ケース及び注型樹脂で絶縁された高価な外付高圧コンデンサを用いる必要がなくなり、安価で、絶縁的にも高圧部がエポキシレジンにより一体絶縁されるため信頼性が向上し、また構造上、取り扱いが容易なフライバックトランスを提供することができる。
【図面の簡単な説明】
【図１】本発明の一実施の形態に係るフライバックトランスの回路図である。
【図２】磁心巻き付けコイルの等価回路図である。
【図３】本発明の一実施の形態に係るフライバックトランスの外観図である。
【図４】本発明の他の実施の形態に係るフライバックトランスの外観図である。
【図５】従来の交番電界低減のフライバックトランスの回路図である。
【図６】交番電界低減のシステムを示した図である。
【図７】交番電界低減の等価回路図である。
【図８】従来の外付高圧コンデンサの外観図である。
【図９】従来の外付高圧コンデンサの内部回路図である。
【符号の説明】
１  フライバックトランス（ＦＢＴ）
２  内蔵高圧コンデンサ
３ａ〜３ｄ  高圧整流ダイオード
４  ３次側逆パルス発生用巻線
５  外付高圧コンデンサ
６ａ〜６ｄ  高圧コイル
６ｅ  磁心巻き付け逆相パルス発生用コイル
７  偏向ヨーク
８  内装黒鉛膜
９  偏向ヨーク静電容量
１０  高圧・偏向回路
１１  ブラウン管
１２  パネル透明導電膜
１３  パネル透明導電膜の表面抵抗
１４  パネル透明導電膜容量
１６  水平出力トランジスタ
１７  １次側低圧コイル
１８  波形比較制御器
１９  アノードキャップ
２０  高圧コネクタ
２１  ＧＮＤ端子
２２  高圧出力電線
２３  磁心
２４  外部磁心巻付けコイル
【図１】
0003609181.tif 000003
【図２】
0003609181.tif 000004
【図３】
0003609181.tif 000005
【図４】
0003609181.tif 000006
【図５】
0003609181.tif 000007
【図６】
0003609181.tif 000008
【図７】
0003609181.tif 000009
【図８】
0003609181.tif 000010
【図９】
0003609181.tif 000011